(57)【特許請求の範囲】
【請求項１】
略円筒状の取付口部を有する物品を容器に装着するための容器の物品装着機構であって、
上記物品の取付口部の内周部に挿入され該内周部に対して封止状態で嵌合する外周部を有する第１円筒部と、該第１円筒部の外側に同軸状に配置され第１円筒部よりも低く設定された第２円筒部とを備え、
該第２円筒部には、上記物品の取付口部の外周部の先端近傍に設けられた突起部を挿通させる切欠部と、該切欠部から挿通した上記突起部と係合し得る螺旋状の案内面を備えたガイド部と、該ガイド部により容器側に案内された上記突起部を係止する係止部とが設けられており、
上記物品の取付口部の内周部を上記第１円筒部の外周部に嵌合させる一方、上記取付口部の突起部を上記第２円筒部の切欠部に挿通させた上で、上記取付口部を所定方向に回転させることにより、上記突起部が上記ガイド部で容器側に案内された後に上記係止部で係止され、上記物品が上記容器に装着されることを特徴とする容器の物品装着機構。
【請求項２】
上記物品の取付口部が箔状の封止材で封止されており、上記第１円筒部は、その軸方向に沿ったスリットによって複数の壁部に分割されていることを特徴とする請求項１記載の容器の物品装着機構。
【請求項３】
上記請求項１または請求項２に記載の物品装着機構を備え、所定の液体を貯えた液体ボトルを上記物品装着機構を介して装着することにより、上記液体が容器内に注入されることを特徴とする液体容器。
【請求項４】
上記物品装着機構を介し第１物品としての液体ボトルを装着して液体を容器内に注入した後、上記液体ボトルを取り外し、その後、上記物品装着機構を介し第２物品としての吸着剤ケースが装着されることを特徴とする請求項３記載の液体容器。
【請求項５】
上記物品装着機構を介し第１物品としての液体ボトルを装着して液体を容器内に注入した後、上記液体ボトルを取り外し、その後、上記物品装着機構を介し第２物品としての閉塞部材が装着され、該閉塞部材にはガス抜き機構が設けられていることを特徴とする請求項３記載の液体容器。
【請求項６】
上記容器の底部に排出口が形成され、該排出口には、排出用管部材のコネクタを接続した場合に開弁する常時閉弁状態のバルブ機構が設けられていることを特徴とする請求項３〜請求項５のいずれか一に記載の液体容器。
【発明の詳細な説明】
【０００１】
【発明の属する技術分野】
この発明は、容器に所定の物品を装着するための容器の物品装着機構および該物品装着機構を備えた液体容器に関する。
【０００２】
【従来の技術】
周知のように、例えば、医療現場では、診療・治療・手術などに使用され患者に直接に接触する器具（例えば医療用の鋏やメス或いはピンセット等の器具）については、使用後、十分に洗浄・消毒あるいは殺菌した上で、清潔に保管し次の使用に供する必要がある。
このような小物の器具の消毒・殺菌に用いられる方法の一つとして、所謂、浸漬法が知られている。この浸漬法は、所定の薬液（消毒液）を一定容積の容器（浸漬槽）内に貯えておき、予備洗浄を済ませた消毒対象たる器具を浸漬させるもので、消毒対象物の表面に消毒液を十分に接触させて消毒・殺菌を行うことができ、小物の器具に対する消毒法の基本をなすものである。
【０００３】
かかる浸漬法に用いられる薬液としては、主として、グルタルアルデヒトやホルムアルデヒド等のアルデヒト系、次亜塩素酸ナトリウム等の塩素系、クレゾール石鹸液などのフェノール系あるいは過酢酸などの過酸化物系のものが挙げられる。
これら薬液は、器具の消毒や殺菌には有効であるが、反面、強い刺激臭を有するとともに揮発性があるものも多く、その揮発性ガスを多量に吸い込むと有害で、また、肌に直接にふれると「かぶれ」等の皮膚障害を引き起こす場合もある。
従って、その取り扱いには十分な注意を要するものが多い。
【０００４】
【発明が解決しようとする課題】
しかしながら、従来では、浸漬法に用いられる浸漬槽は、基本的には、一定容積の容器に単に蓋を設けただけのもの（所謂、蓋付きバケツ）であり、薬液をボトルから容器内に供給する際および容器内から薬液を排出させる際には、容器の蓋が全面的に或いは少なくともその一部が開放されるので、強い刺激臭や揮発ガスの周囲への放散を回避することができなかった。更に、場合によっては、薬液が作業担当者の肌に直接触れることもあり得る。
【０００５】
従って、浸漬槽などの容器内にボトル内の液体（薬液）を供給する場合、容器の蓋を開放することなく供給作業を行えるようにすることが望まれている。
尚、上記のような薬液ボトルの場合、ボトルのキャップを外しただけでは、たとえボトルが倒れても、或いはボトルを上下逆さまにしても、内部の液体が外部に洩れ出ることが無いように、その給液口部が箔片状のシール材などで封止されることが望ましい。
【０００６】
また、一般に、上記浸漬槽内の圧力は、消毒対象物を一定時間浸漬させている消毒・殺菌を行っている間に、薬液が揮発ガスを発生することにより高められるのであるが、特に、例えば過酢酸や次亜塩素酸ナトリウム溶液などのような揮発量が比較的多い薬液を用いた場合には、この浸漬槽の内圧が過度に高められる結果、内圧による力が、蓋の容器に対する固定力を越えたり、又は、容器および蓋の強度を越えることも考えられる。
【０００７】
このような場合には、浸漬槽内部の揮発ガスの一部を外部に放出する所謂、ガス抜きが必要であるが、単に、蓋にガス抜き用の開口を設けただけでは、この開口の面積と内圧の大きさに応じて、薬液の刺激臭や揮発ガスが周囲に放散されることになる。従って、浸漬槽などの液体容器について、所謂ガス抜きを行って内部圧力の上昇防止を図る際には、液体に刺激臭や揮発ガスの発生がある場合には、それらの周囲への放散を極力抑制することが求められる。
【０００８】
そこで、この発明は、液体ボトルその他の所要の物品を容易かつ確実に容器に対して着脱できるようにし、これにより、容器の蓋を開放することなく容器内への供給作業を行えるようにし、また、容器内の液体に刺激臭や揮発ガスの発生がある場合には、それらの周囲への放散を極力抑制できるようにすることを、基本的な目的としてなされたものである。
【０００９】
【課題を解決するための手段】
このため、本願の請求項１に係る発明（以下、本願の第１の発明という）は、略円筒状の取付口部を有する物品を容器に装着するための容器の物品装着機構であって、上記物品の取付口部の内周部に挿入され該内周部に対して封止状態で嵌合する外周部を有する第１円筒部と、該第１円筒部の外側に同軸状に配置され第１円筒部よりも低く設定された第２円筒部とを備え、該第２円筒部には、上記物品の取付口部の外周部の先端近傍に設けられた突起部を挿通させる切欠部と、該切欠部から挿通した上記突起部と係合し得る螺旋状の案内面を備えたガイド部と、該ガイド部により容器側に案内された上記突起部を係止する係止部とが設けられており、上記物品の取付口部の内周部を上記第１円筒部の外周部に嵌合させる一方、上記取付口部の突起部を上記第２円筒部の切欠部に挿通させた上で、上記取付口部を所定方向に回転させることにより、上記突起部が上記ガイド部で容器側に案内された後に上記係止部で係止され、上記物品が上記容器に装着されることを特徴としたものである。
【００１０】
また、本願の請求項２に係る発明（以下、本願の第２の発明という）は、上記第１の発明において、上記物品の取付口部が箔状の封止材で封止されており、上記第１円筒部は、その軸方向に沿ったスリットによって複数の壁部に分割されていることを特徴としたものである。
【００１１】
更に、本願の請求項３に係る発明（以下、本願の第３の発明という）は、上記請求項１または請求項２に記載の物品装着機構を備え、所定の液体を貯えた液体ボトルを上記物品装着機構を介して装着することにより、上記液体が容器内に注入されることを特徴としたものである。
【００１２】
また更に、本願の請求項４に係る発明（以下、本願の第４の発明という）は、上記第３の発明において、上記物品装着機構を介し第１物品としての液体ボトルを装着して液体を容器内に注入した後、上記液体ボトルを取り外し、その後、上記物品装着機構を介し第２物品としての吸着剤ケースが装着されることを特徴としたものである。
【００１３】
また更に、本願の請求項５に係る発明（以下、本願の第５の発明という）は、上記第３の発明において、上記物品装着機構を介し第１物品としての液体ボトルを装着して液体を容器内に注入した後、上記液体ボトルを取り外し、その後、上記物品装着機構を介し第２物品としての閉塞部材が装着され、該閉塞部材にはガス抜き機構が設けられていることを特徴としたものである。
【００１４】
また更に、本願の請求項６に係る発明（以下、本願の第６の発明という）は、上記第３〜第５の発明のいずれか一において、上記容器の底部に排出口が形成され、該排出口には、排出用管部材のコネクタを接続した場合に開弁する常時閉弁状態のバルブ機構が設けられていることを特徴としたものである。
【００１５】
【発明の実施の形態】
以下、本発明の実施の形態を、例えば、浸漬槽に薬液ボトルや吸着剤ケース等を装着する場合を例に取って、添付図面を参照しながら詳細に説明する。
図１は本実施の形態に係る液体容器としての浸漬槽の全体斜視図、図２はこの浸漬槽の内部構造を示す分解斜視図、図３は上記浸漬槽に薬液ボトルを装着する装着作業を説明する浸漬槽および薬液ボトルの斜視図、また、図４はこの薬液ボトルの装着作業を示す浸漬槽と薬液ボトルの取り合い部分の拡大斜視図である。
【００１６】
これらの図に示すように、上記浸漬槽１は、上部が開口したボックス状の容器本体１０と、該容器本体１０の上部開口を開閉可能に覆う蓋体２０と、上記容器本体１０の内部に収納されるトレイ１２とを備えている。上記容器本体１０および蓋体２０は共に耐薬品性のある材料（例えば、耐薬品性のある合成樹脂等）で形成され、また、トレイ１２も耐薬品性のある材料（例えば、ステンレス鋼板あるいは耐薬品性のある合成樹脂等）で形成されており、該トレイ１２の壁面には多数の連通穴が設けられている。
尚、上記蓋体２０は、ヒンジ部２を介して、容器本体１０に対し開閉可能に組み立てられている。
【００１７】
上記蓋体２０の略中央には、薬液ボトル６０あるいは吸着剤ケース７０等の物品を装着させる物品装着機構を備えた物品装着部３０が設けられている。この物品装着部３０には、容器本体１０内に所定の薬液を供給する際には当該薬液の薬液ボトル６０が装着され、薬液供給作業終了後には、例えば脱臭剤を収納した吸着剤ケース７０が装着される。
また、上記蓋体２０の所定部位には、この浸漬槽１内での浸漬時間（つまり、浸漬槽による消毒・殺菌時間）を計測するタイマ（不図示）を収納するタイマ収納部が設けられ、該収納部はタイマカバー２２で覆われている。尚、上記タイマ自体は、従来から良く知られているものと同様の基本構成を備え同様の作用をなすものであるので、その構造等の詳細な説明および図示は省略する。
【００１８】
また、容器本体１０の底部には、後述するように、該容器本体１０内部の薬液を外部に排出させる際に排出用ホースが接続される排出口部４０が設けられている。この排出口部４０には、後で詳しく説明するように、排出用ホースのコネクタを接続した場合に開弁する常時閉弁状態のバルブ機構が設けられている。
【００１９】
そして、消毒・殺菌処理を行なうべき器具類（例えば、医療用の鋏やメス或いはピンセット等の比較的小物の器具類：不図示）が上記トレイ１２内に保持された状態で、該トレイ１２を容器本体１０内に収納させて蓋体２０を閉じ、上記物品装着部３０に所定の薬液ボトル６０を装着して、容器本体１０内に当該薬液を供給する。これにより、トレイ１２内の器具類が薬液に浸漬され、消毒・殺菌が開始される。上記薬液の供給作業を終えると、タイマ１２による計時が開始され、また、薬液ボトル６０が物品装着部３０から取り外され、今度は脱臭剤入りの吸着剤ケース７０が取り付けられる。これにより、容器１０内の薬液の臭気が周囲に放散されることが抑制される。
【００２０】
以下、蓋体２０に設けられた上記物品装着部３０の構造について説明する。
図５及び図６は装着作業開始時における物品装着部に対する薬液ボトルの取り合い状態を示す説明図で、図５は図６におけるＹ５−Ｙ５線に沿った横方向の断面説明図、また、図６は図５におけるＹ６−Ｙ６線に沿った上下方向の断面に相当する説明図である。
更に、図７及び図８は装着作業完了時時における物品装着部に対する薬液ボトルの取り合い状態を示す説明図で、図７は図８におけるＹ７−Ｙ７線に沿った横方向の断面説明図、図８は図７におけるＹ８−Ｙ８線に沿った上下方向の断面に相当する説明図である。また更に、図９は、物品装着部の内部構造を示すために、その外面部分の一部を切り欠いて示した部分断面斜視図である。
【００２１】
これらの図に示すように、薬液ボトル６０を浸漬槽１の蓋体２０に設けられた物品装着部３０に装着するに先立って、上記薬液ボトル６０の給液口部６１には、略円筒状の取付口部６６を備えたアダプタ６４が装着されている。
該アダプタ６４は、内壁面に雌ネジ６５ａが設けられた本体部６５と略円筒状の上記取付口部６６とを備え、該取付口部６６と本体部６５の境界部分の段部には、薬液ボトル６０の給液口６１を封止するために、薄膜シート片でなるシール箔６９が装着されている。このシール箔６９としては、耐薬品性のある材料で製作された薄膜シート材が用いられ、例えば、所謂ゴアテックスシートと発泡ＰＥシートでなる複合材等の合成樹脂製もしくはプラスチック製のもの、或いは、例えばアルミニウム箔片等の金属製のものなど、種々のタイプのものを適用することができる。
尚、上記アダプタ６４の取付口部６６および後述する吸着剤ケース７０の取付口部が、本願請求項に記載した「（略円筒状の）取付口部」に相当している。
【００２２】
そして、薬液ボトル６０の給液口部６１の外周部に形成された雄ネジ６１ａにアダプタ６４の本体部６５の雌ネジ６５ａを螺着させて締め付けることにより、該アダプタ６５が薬液ボトル６０の給液口部６１に装着される。
このとき、該給液口部６１はアダプタ６５内のシール箔６９によって覆われることにより、たとえボトル６０が転倒したとしても、また、物品装着部３０への装着のために薬液ボトル６０を上下逆さまにしたとしても、内部の薬液が外へ洩れ出ることが無いようになっている。
【００２３】
上記アダプタ６４の取付口部６６の外周部の先端近傍には、例えば一対の所定幅および所定突出量の突起部６７が１８０度対向位置に設けられている。この突起部６７が設けられた部位に略対応する取付口部６６の先端近傍の内壁面は、より好ましくは、先端側に向かって拡径するテーパ状に形成されている。
【００２４】
一方、浸漬槽１の蓋体２０に設けられた物品装着部３０は、上記薬液ボトル６０側の（つまり、アダプタ６４の）取付口部６６の内周部に挿入され該内周部に対して封止状態で嵌合する外周部を有する第１円筒部３１と、該第１円筒部３１の外側に同軸状に配置され第１円筒部３１よりも低く設定された第２円筒部３２とを備えている。上記第１円筒部３１は、その軸方向に沿ったスリット３１ｓによって複数の壁部３１ｗに分割されている。
【００２５】
また、上記第２円筒部３２の上面には、上記アダプタ取付口部６６の突起部６７を挿通させる一対の切欠部３３が設けられ、更に、図９から良く分かるように、第２円筒部３２の内面側には、上記切欠部３３から挿通した上記突起部６７と係合し得る螺旋状の案内面を備えたガイド部３４と、該ガイド部３４により浸漬槽１側に案内された上記突起部６７を係止する係止部３５とが設けられている。
【００２６】
以上の構成において、薬液ボトル６０内の薬液を浸漬槽１内に供給する際には、まず、薬液ボトル６０の給液口部６１に上記アダプタ６４を取りつけて締結固定する。この状態では、薬液ボトル６０の給液口部６１は、アダプタ６４内のシール箔６９によって封止されている（図６参照）。そして、浸漬槽１の容器本体１０を蓋体２０で閉じたままで、該蓋体２０の物品装着部３０に対して薬液ボトル６０を装着する。
【００２７】
すなわち、薬液ボトル６０の給液口部６１に取り付けた上記アダプタ６４の取付口部６６の内周部を上記物品装着部３０の第１円筒部３１の外周部に嵌合させながら、上記取付口部６６の各突起部６７を物品装着部３０の第２円筒部３２の各切欠部３３に挿通させる。このとき、より好ましくは、アダプタ６４の取付口部６６の先端近傍の内壁面は先端側に向かって拡径するテーパ状に形成されているので、取付口部６６の内周部を上記物品装着部３０の第１円筒部３１の外周部に嵌合させる嵌合操作を容易に行える。特に、アダプタ取付口部６６の内周部と第１円筒部３１の外周部とが、液密に封止状態で嵌合するように寸法設定されている場合でも、その嵌合操作を比較的容易に行うことができる。
【００２８】
そして、このようにアダプタ取付口部６６の内周部を第１円筒部３１の外周部に嵌合させ、且つ上記取付口部６６の各突起部６７を第２円筒部３２の各切欠部３３に挿通させた上で、上記アダプタ取付口部６６を（つまり、薬液ボトル６０を）所定方向に回転させることにより、上記各突起部６７が第２円筒部３２の内壁に形成された螺旋状の案内面を備えたガイド部３４で容器本体１０側に案内される（つまり、薬液ボトル６０が容器本体１０側に進行する）。
【００２９】
このようにして上記取付口部６６を上記所定方向に所定角度回転させることにより、上記各突起部６７がガイド部３４の終端部分に位置する係止部３５に達し、この係止部３５で係止される。図５〜図８に示した例では、アダプタ取付口部６６を（つまり、薬液ボトル６０を）図５における時計回り方向に略１２０度回転させることにより、取付口部６６の各突起部６７がガイド部３４の終端の係止部３５に達して係止される。
これにより、上記アダプタ取付口部６６が（つまり、薬液ボトル６０が）蓋体２０の物品装着部３０に装着されるようになっている（図８参照）。
【００３０】
以上のボトル装着過程において、アダプタ取付口部６６の内周部を第１円筒部３１の外周部に嵌合させ、且つ上記取付口部６６の各突起部６７を第２円筒部３２の各切欠部３３に挿通させた初期状態から、上記アダプタ取付口部６６を（つまり、薬液ボトル６０を）所定方向に回転させることにより、薬液ボトル６０が容器本体１０側に進行するが、このとき、薬液ボトル６０の給液口部６１を封止していたシール箔６９が、第２円筒部３２よりも高く設定された第１円筒部３１の壁部３１ｗによって突き上げられ、その周縁部が突き破られるか若しくはアダプタ６４に対する固定が外される（図８参照）。
【００３１】
これにより、薬液ボトル６０の内部と容器本体１０の内部とが連通させられ、薬液ボトル６０内の薬液の容器本体１０内への供給が始まるようになっている。
尚、薬液ボトル６０内の薬液が全て容器本体１０内に供給された後、当該ボトル６０を蓋体２０の物品装着部３０から取り外す際には、上述の装着作業と全く逆の手順で行えば良い。
【００３２】
このように、上記物品装着部３０の第１円筒部３１はその外側の第２円筒部３２よりも高く設定されているので、薬液ボトル６０の給液口部６１が箔状の封止材６９（シール箔）で封止されている場合でも、該ボトル６０を装着する際に、上記取付口部６４の内周部に対して封止状態で嵌合する外周部を有する上記第１円筒部３１によって、上記シール箔６９の周縁部を突き破るか若しくはアダプタ６４に対する固定を外し、シール箔６９を開いて薬液ボトル６０の内部と容器本体１０の内部とを連通させることができる。
【００３３】
特に、上記第１円筒部３１は、その軸方向に沿ったスリット３１ｓによって複数の壁部３１ｗに分割されているので、第１円筒部の先端が連続した環状の平面で形成されている場合に比べて、容易かつ確実にシール箔６９による給液口部６１の封止状態を解除して薬液ボトル６０の内部と容器本体１０の内部とを連通させることができる。また、固定の外れたシール箔６９が第１円筒部３１の先端に貼り付くことを防止できる。
すなわち、薬液ボトル６０の給液口部６１が箔状の封止材６９で封止されている場合でも、この封止材６９を事前に除去する必要なしに装着作業を行うことができるのである。
【００３４】
尚、本実施の形態では、第１円筒部３１をその軸方向に沿ったスリット３１ｓによって複数の壁部３１ｗに分割するに際して、４分割するようにしていたが、この分割数は第１円筒部の径方向サイズ（換言すれば、薬液ボトルの給液口部に装着された箔状封止材の径方向サイズ）や箔状封止材の材質などに応じて、例えば２分割あるいは３分割など、物品の装着によって箔状封止材ができるだけスムースに開かれるように、種々変更されるものである。
また、本実施の形態では、スリット３１ｓによって分割された複数の壁部３１ｗは、その全てが略面一となるように設定されていたが、これら複数の壁部のうち一部のものが他のものよりも突出するようにしても良い。
【００３５】
以上、説明したように、本実施の形態によれば、薬液ボトル６０に取り付けたアダプタ６４の取付口部６６の内周部を物品装着部３０の第１円筒部３１の外周部に嵌合させる一方、上記取付口部６６の各突起部６７を第２円筒部３２の切欠部３３に挿通させた上で、上記取付口部６６を所定方向に回転させることにより、上記各突起部６７が第２円筒部３２内のガイド部３４で容器本体１０側に案内された後に係止部３５で係止され、薬液ボトル６０が物品装着部３０に装着されるので、外周部の先端近傍に突起部６７が設けられた略円筒状の取付口部６６を有する所要の物品６０（薬液ボトル）を、容易かつ確実に浸漬槽１に装着することができる。また、上記と逆の操作を行うことにより、装着された薬液ボトル６０を容易に浸漬槽１から取り外すことができる。
【００３６】
そして、上述のように、所定の液体（消毒液）を貯えた薬液ボトル６０を上記物品装着部３０を介して浸漬槽１に装着することにより薬液が容器本体１０内に注入されるので、浸漬槽１の蓋体２０を開放することなく容器本体１内への薬液の供給作業を行うことができる。従って、薬液ボトル６０内の液体が刺激臭や揮発ガスの発生があるものである場合でも、供給作業時にそれらが周囲へ放散することを極力抑制することができるのである。
【００３７】
上述のようにして、薬液ボトル６０内の薬液が全て容器本体１０内に供給され、当該ボトル６０が蓋体２０の物品装着部３０から取り外されると、図１０〜図１２に示すように、上記薬液ボトル６０に代わって、吸着剤としての脱臭剤８０を収納した吸着剤ケース７０が物品装着部３０に装着される。
この吸着剤ケース７０は、図１３〜図１５に示すように、脱臭剤８０を載置して受け合うケース本体７１と、ヒンジ部７９を介してケース本体７１に対し開閉可能に設けられたケース蓋体７６とを備えている。
【００３８】
このケース蓋体７６の平坦部分には複数の開口７６ｈが設けられており、また、このケース蓋体７６の周壁の略中央部分には、ケース本体７１の周壁の略中央部分に形成された爪部７４に係止される係止部７７が設けられている。
一方、上記ケース本体７１の下側の略中央部分には、略円筒状の取付口部７２が一体的に形成されており、この取付口部７２の外周部の先端近傍には、例えば一対の所定幅および所定突出量の突起部７３が１８０度対向位置に設けられている。この突起部７３が設けられた部位に略対応する取付口部７２の先端近傍の内壁面は、より好ましくは、先端側に向かって拡径するテーパ状に形成されている。
【００３９】
この吸着剤ケース７０のケース本体７１に形成された取付口部７２は、前述の薬液ボトル６０を浸漬槽１の物品装着部３０に装着する際に用いられたアダプタ６４の取付口部６６と、全く同一の形状および寸法に設定されている。
すなわち、吸着剤ケース７０のケース本体７１に形成された取付口部７２は、上記アダプタ６４の取付口部６６と、浸漬槽１の物品装着部３０への装着に関して完全な互換性を有している。従って、上記アダプタ６４を介して薬液ボトル６０を装着したのと同一の手順により、吸着剤ケース７０を上記物品装着部３０に装着することができる。
【００４０】
かかる吸着剤ケース７０を浸漬槽１の上記物品装着部３０に装着することにより、浸漬槽１の容器本体１０の内部が、吸着剤ケース７０の取付口部７２及び脱臭剤８０並びにケース蓋体７６の開口７６ｈを介して、外部と連通することになる。
従って、容器本体１０の内圧が上昇した場合には、上記の経路によって有効にガス抜きが行なわれ、内圧が過度に高まることはない。しかも、このガス抜きは脱臭剤８０を通して行なわれるので、ガス抜きの過程で薬液の刺激臭や揮発ガスが吸着され、周囲への放散が極力抑制される。
【００４１】
このように、上記物品装着部３０を介し第１物品としての薬液ボトル６０を浸漬槽１に装着して薬液を容器本体１０内に注入した後、上記薬液ボトル６０を取り外し、その後、上記物品装着部３０を介し第２物品としての吸着剤ケース７０が装着されるので、薬液ボトル６０内の薬液が刺激臭や揮発ガスの発生があるものである場合でも、供給作業時にそれらが周囲へ放散することが抑制されるだけでなく、供給作業を終えた後においても、物品装着部３０を介し吸着剤ケース７０が装着されることにより、脱臭剤８０で薬液の刺激臭や揮発ガスを吸着させて周囲への放散を極力抑制することができる。つまり、容器本体１０の内圧が過度に上昇することを回避できるとともに、内部の薬液の刺激臭や揮発ガスの周囲への放散を極力抑制することができるのである。
【００４２】
尚、以上の例は、浸漬槽１の物品装着部３０に装着されるべき第１物品としての薬液ボトル６０を取り外した後、上記物品装着部３０を介し第２物品としての吸着剤ケース７０を装着するようにしたものであったが、薬液ボトル内の液体が刺激臭や揮発ガスの発生が無いものである場合には、上記のような吸着剤ケース７０の代わりに、浸漬槽１の物品装着部３０に装着されるべき第２物品として、比較的単純な閉塞部材を装着し、この閉塞部材に、容器の内圧が過度に上昇することを防止するガス抜き機構を設けておくようにしても良い。
この場合のガス抜き機構としては、例えば、単なる連通穴を閉塞部材に設けても良く、或いは、一定以上の圧力で開弁する逆止弁機構などを連通穴に組み込んだものなどを用いても良い。
【００４３】
次に、容器本体１０の底部に設けられた上記排出口部４０の構造について、図１６〜図２２を参照しながら説明する。
図１６〜図１９に示すように、上記排出口部４０は、本体容器１０の底部の一部分を略水平方向に伸びる円筒状に形成することにより、上記本体容器１０と一体的に設けられている。この排出口部４０内には、通常時は閉弁状態に維持されるバルブ機構４５が配設されている。
本体容器１０の底壁１０ｂは、より好ましくは、少なくともその内面が、排出口部４０に向かって若干傾斜し、該排出口部４０の入口部分では排出口部４０の円筒下端部の内面と略面一に近く、滑らかに繋げられている。従って、排出口部４０から容器本体１０内の液体を排出させる際に、容器本体１０内に液が残存することが殆ど無いようになっている。
【００４４】
上記排出口部４０に組み付けられるバルブ機構４５は、バルブディスク４６ａとバルブステム４６ｂとで成り断面形状が略Ｔ字状に形成された弁体４６と、該弁体４６を閉弁方向に付勢するための例えばコイル状の付勢バネ４７と、上記弁体４６のステム４６ｂの先端側に取り付けられる板状のスプリング受け４８と、上記弁体４６のディスク４６ａの外周溝部４６ｃに装着される環状のシール部材４９とを備えている。
【００４５】
一方、上記排出口部４０には、弁体４６のディスク４６ａに装着されたシール部材４９と組み合わされるテーパ状のシート部４１が円筒の入口部分に形成されるとともに、該円筒の途中部には、弁体４６のステム４６ｂをその軸方向にスライド自在に支持するステム保持部４２が設けられている。該ステム保持部４２は円筒状で、複数のリブ４２ａによって排出口部４０の円筒部分に結合・支持され、残りの開口部分を通じて流体がバルブステム４６ｂの軸方向に流通できるようになっている。
また、排出口部４０の円筒の先端部には、以下に述べる排出用ホース５０のコネクタ１１を係止するためのコネクタ係止部４３が形成されている。
【００４６】
以上の構成において、バルブ機構４５を排出口部４０に組み込む際には、まず、シール部材４９を弁体４６のディスク４６ａの外周溝部４６ｃに装着した上で、弁体４６のステム４６ｂを排出口部４０のステム保持部４２に挿通させる。この挿通作業は、容器本体１０の内側から外側に向かって（つまり、図における左側から右側に向かって）バルブステム４６ｂをスライドさせて行われる。
【００４７】
次に、バルブステム４６ｂの外周部に先端側から付勢バネ４７を装着し、最後にステム４６ｂの先端部にスプリング受け４８を取り付ける。このスプリング受け４８の取り付けは、例えば、バルブステム４６ｂの先端部に形成されたクリップ部４６ｄにスプリング受け４８の内周部を嵌合させることによって行われる。この結果、スプリング受け４８が付勢バネ４７の付勢力によって容器本体１０の外側（図１９における右側）、つまり弁体４６の閉弁方向に付勢される。これにより、バルブディスク４６ａのシール部材４９が排出口部４０のシート部４１に押し付けられ、バルブ機構４５の閉弁状態が維持される。
尚、上記スプリング受け４８のバルブステム４６ｂの先端部への取り付けを、例えばネジ結合等の他の手法で行うようにしても良い。
【００４８】
以上の構成において排出口部４０から容器本体１０内の液体を外部に排出させる際には、コネクタ５１が先端部に取り付けられた排出用ホース５０が接続される。上記コネクタ５１は、ホース５０の先端部が装着されるコネクタ本体部５２と、上記排出口部４０の内周部に嵌合する外周部を有する円筒状の先端ガイド部５３と、該ガイド部５３の外側に設けられ排出口部４０のコネクタ係止部４３と組み合わされる複数（本実施の形態では、例えば２個）の円周等配状に設けられた爪部５４とを備えており、上記先端ガイド部５３の外周部には、排出口部４０の内周部との間をシールする環状のシール部材５５が装着されている。
【００４９】
上記コネクタ５１は、耐薬品性を有し、且つ、ある程度の弾性を有する材料、例えば耐薬品性を備えた樹脂材料で形成されている。また、排出用ホース５０も、耐薬品性を有し、且つ、好ましくはある程度の弾性を有する材料、例えば耐薬品性を備えたゴム材料で形成されている。
【００５０】
そして、排出口部４０から容器本体１０内の液体を外部に排出させる際には、コネクタ５１の先端ガイド部５３を排出口部４０内に差し込むことにより、このコネクタ５１を介して排出用ホース５０が容器本体１０の排出口部４０に接続される。
すなわち、上記先端ガイド部５３が排出口部４０内に一定深さ挿入されると、コネクタ５１の爪部５４の内周側先端部が排出口部４０先端のコネクタ係止部４３の外周側先端部に接触・当接する。このコネクタ係止部４３の外周側先端部および上記爪部５４の内周側先端部は、共にテーパ状もしくは曲面状に形成されており、コネクタ５１の先端ガイド部５３を更に挿入することにより、上記爪部５４の内周側先端部が上記コネクタ係止部４３の外周側先端部で押し上げられながら、つまり、各爪部５４が開かれるように弾性的に撓みながら、上記先端ガイド部５３の挿入が進行する。そして、最終的に上記コネクタ係止部４３の外周側後端部が上記各爪部５４の後側に嵌り込むことにより、先端ガイド部５３の挿入が完了する。
【００５１】
これにより、コネクタ５１の各爪部５４がコネクタ係止部４３に係止された状態で排出口部４０の先端側に装着され、排出用ホース５０が排出口部４０に接続される。この接続状態では、単にホース５０を引っ張っただけでは抜けることは無い。排出用ホース５０を取り外す際には、コネクタ５１の各爪部５４を開くように撓ませて（つまり、爪部５４のコネクタ係止部４３に対する係止状態を解除して）コネクタ５１を引き抜くことにより、コネクタ５１を排出口部４０から抜脱させれば良い。
【００５２】
上述のように排出用ホース５０が排出口部４０に接続された状態では、コネクタ５１の先端ガイド部５３の先端部がバルブ機構４５のスプリング受け４８を、所定量だけバルブ開弁側（図２２における左側に）に押圧するように設定されており、これにより、弁体４６が開弁側にスライドさせられ、容器本体１０内の液体がホース５０側に流れ込むようになっている。尚、ホース５０の後端側は、所定の廃液容器５９側（図１７参照）に導かれている。
【００５３】
以上のように、容器本体１０底部に形成された排出口部４０に設けられた上記バルブ機構４５は、通常時は閉じられ排出用管ホース５０のコネクタ５１を排出口部４０に接続した場合にのみ開弁するのである。従って、容器本体１０内の液体を外部に排出する場合には、容易かつ確実に排出作業を行うことができる。また、コネクタ５１が接続されていない通常時には確実に閉弁状態が維持される。すなわち、従来、排出用バルブとして、レバー操作の所謂ボールバルブ等が付設されていた場合には、容器の使用中に作業者や物が操作レバーにぶつかったりした場合には、操作レバーが不用意に駆動されて排出バルブが開弁する惧れがあったが、本実施の形態に係るバルブ機構４５によれば、かかる従来の不具合を確実に解消することができるのである。
【００５４】
尚、上記実施の形態は、浸漬槽１に薬液ボトル６０又は吸着剤ケース７０若しくは閉塞部材（不図示）を装着する場合についてのものであったが、本発明は、かかる場合に限定されるものではなく、略円筒状の取付口部を有する物品を容器に装着する他の種々の場合にも適用できる。
このように、本発明は、以上の実施態様に限定されるものではなく、その要旨を逸脱しない範囲において、種々の改良あるいは設計上の変更が可能であることは言うまでもない。
【００５５】
【発明の効果】
本願の第１の発明によれば、物品の取付口部の内周部を第１円筒部の外周部に嵌合させる一方、物品の上記取付口部の突起部を第２円筒部の切欠部に挿通させた上で、上記取付口部を所定方向に回転させることにより、上記突起部が上記ガイド部で容器側に案内された後に上記係止部で係止され、上記物品が上記容器に装着されるので、外周部の先端近傍に突起部が設けられた略円筒状の取付口部を有する所要の物品を、容易かつ確実に容器に装着することができる。また、上記と逆の操作を行うことにより、装着された物品を容易に取り外すことができる。
【００５６】
また、本願の第２の発明によれば、基本的には上記第１の発明と同様の作用効果を奏することができる。特に、上記物品装着機構の第１円筒部はその外側の第２円筒部よりも高くなっているので、上記物品の取付口部が箔状の封止材で封止されている場合でも、該物品を装着する際に、物品の取付口部の内周部に対して封止状態で嵌合する外周部を有する上記第１円筒部によって、物品の取付口部の封止材を突き破ることができる。しかも、上記第１円筒部は、その軸方向に沿ったスリットによって複数の壁部に分割され、これら複数の壁部のうち一部のものは他のものよりも突出しているので、第１円筒部の先端が平坦に形成されている場合のように、突き破られた封止材が第１円筒部の先端側に貼り付く惧れはなくなる。
すなわち、物品の取付口部が箔状の封止材で封止されている場合でも、この封止材を事前に除去する必要なしに装着作業を行うことができる。
【００５７】
更に、本願の第３の発明に係る液体容器によれば、上記請求項１または請求項２に記載の物品装着機構を備え、所定の液体を貯えた液体ボトルを上記物品装着機構を介して装着することにより上記液体が容器内に注入されるので、上記液体ボトルを容器に装着するに際して、上記請求項１または請求項２と同様の作用効果を奏することができる。従って、容器の蓋を開放することなく容器内への液体の供給作業を行うことができる。従って、液体ボトル内の液体が刺激臭や揮発ガスの発生があるものである場合でも、供給作業時にそれらが周囲へ放散することを極力抑制することができる。
【００５８】
また更に、本願の第４の発明によれば、基本的には上記第３の発明と同様の作用効果を奏することができる。特に、上記物品装着機構を介し第１物品としての液体ボトルを装着して液体を容器内に注入した後、上記液体ボトルを取り外し、その後、上記物品装着機構を介し第２物品としての吸着剤ケースが装着されるので、液体ボトル内の液体が刺激臭や揮発ガスの発生があるものである場合でも、供給作業時にそれらが周囲へ放散することが抑制されるだけでなく、供給作業を終えた後においても、物品装着機構を介し吸着剤ケースが装着されることにより、吸着剤で液体の刺激臭や揮発ガスを吸着させて周囲への放散を極力抑制することができる。つまり、容器の内圧が過度に上昇することを回避できるとともに、内部の液体の刺激臭や揮発ガスの周囲への放散を極力抑制することができる。
【００５９】
また更に、本願の第５の発明によれば、基本的には上記第３の発明と同様の作用効果を奏することができる。特に、上記物品装着機構を介し第１物品としての液体ボトルを装着して液体を容器内に注入した後、上記液体ボトルを取り外し、その後、上記物品装着機構を介し第２物品としての閉塞部材が装着され、該閉塞部材にはガス抜き機構が設けられているので、液体ボトル内の液体が刺激臭や揮発ガスの発生が無いものである場合には、上記ガス抜き機構を有する閉塞部材を装着することにより、容器の内圧が過度に上昇することを確実に防止することができる。
【００６０】
また更に、本願の第６の発明によれば、基本的には上記第３〜第５の発明のいずれか一と同様の作用効果を奏することができる。特に、上記容器の底部に排出口が形成され、該排出口には、排出用管部材のコネクタを接続した場合に開弁する常時閉弁状態のバルブ機構が設けられているので、容器内の液体を外部に排出する場合には、容易かつ確実に排出作業を行うことができる。また、上記バルブ機構は上記排出用管部材のコネクタを接続した場合に開弁するので、該コネクタが接続されていない場合には確実に閉弁状態が維持される。すなわち、従来、レバー操作の所謂ボールバルブ等が付設されていた場合のように、容器の使用中に操作レバーに物がぶつかったりして不用意に排出バルブが開弁するなどの、不具合発生を回避することができる。
【図面の簡単な説明】
【図１】  本発明の実施の形態に係る浸漬槽の全体斜視図である。
【図２】  上記浸漬槽の内部構造を示す分解斜視図である。
【図３】  上記浸漬槽に薬液ボトルを装着する装着作業を説明する浸漬槽および薬液ボトルの斜視図である。
【図４】  薬液ボトルの装着作業を示す浸漬槽と薬液ボトルの取り合い部分の拡大斜視図である。
【図５】  装着作業開始時における物品装着部に対する薬液ボトルの取り合い状態を示す説明図で、図６におけるＹ５−Ｙ５線に沿った横方向の断面説明図である。
【図６】  装着作業開始時における物品装着部に対する薬液ボトルの取り合い状態を示す説明図で、図５におけるＹ６−Ｙ６線に沿った上下方向の断面に相当する説明図である。
【図７】  装着作業完了時における物品装着部に対する薬液ボトルの取り合い状態を示す説明図で、図８におけるＹ７−Ｙ７線に沿った横方向の断面説明図である。
【図８】  装着作業完了時における物品装着部に対する薬液ボトルの取り合い状態を示す説明図で、図７におけるＹ８−Ｙ８線に沿った上下方向の断面に相当する説明図である。
【図９】  物品装着部の内部構造を示す部分断面斜視図である。
【図１０】  上記浸漬槽および吸着剤ケースの斜視図である。
【図１１】  上記浸漬槽に吸着剤ケースを装着する装着作業を説明する浸漬槽および吸着剤ケースの斜視図である。
【図１２】  上記吸着剤ケースの装着作業を示す浸漬槽と吸着剤ケースの取り合い部分の拡大斜視図である。
【図１３】  上記吸着剤ケースの構造を説明する説明図で、図１４におけるＹ１３−Ｙ１３線に沿った部分断面説明図である。
【図１４】  上記吸着剤ケースの蓋体を開いた状態における底面説明図である。
【図１５】  上記吸着剤ケースの構造を説明する説明図で、図１４におけるＹ１５−Ｙ１５線に沿った部分断面説明図である。
【図１６】  上記浸漬槽の容器本体の内部を示す斜視図である。
【図１７】  上記浸漬槽の容器本体から液体を排出させる排出工程を説明するための斜視図である。
【図１８】  上記容器本体の排出口部に排出用ホースを接続するホース接続作業を示す斜視図である。
【図１９】  排出用のバルブ機構が組み込まれた上記容器本体の排出口部の上下方向の断面説明図である。
【図２０】  上記バルブ機構の各部品を分解して示す説明図である。
【図２１】  上記容器本体の排出口部および排出用ホースの接続前の状態を示す上下方向の断面説明図である。
【図２２】  上記容器本体の排出口部および排出用ホースの接続後の状態を示す上下方向の断面説明図である。
【符号の説明】
１…浸漬槽
１０…容器本体
１０ｂ…容器本体の底壁
２０…蓋体
３０…物品装着部
３１…第１円筒部
３１ｓ…（第１円筒部の）スリット
３１ｗ…（第１円筒部の）壁部
３２…第２円筒部
３３…切欠部
３４…ガイド部
３５…係止部
４０…排出口部
４１…シート部
４５…バルブ機構
５０…排出用ホース
５１…コネクタ
６０…薬液ボトル
６１…（薬液ボトルの）給液口部
６４…アダプタ
６６…（アダプタの）取付口部
６７…（取付口部の）突起部
６９…シール箔
７０…吸着剤ケース
７２…（吸着剤ケースの）取付口部
７３…（取付口部の）突起部
８０…脱臭剤
【図１】
0004614563.tif 000002
【図２】
0004614563.tif 000003
【図３】
0004614563.tif 000004
【図４】
0004614563.tif 000005
【図５】
0004614563.tif 000006
【図６】
0004614563.tif 000007
【図７】
0004614563.tif 000008
【図８】
0004614563.tif 000009
【図９】
0004614563.tif 000010
【図１０】
0004614563.tif 000011
【図１１】
0004614563.tif 000012
【図１２】
0004614563.tif 000013
【図１３】
0004614563.tif 000014
【図１４】
0004614563.tif 000015
【図１５】
0004614563.tif 000016
【図１６】
0004614563.tif 000017
【図１７】
0004614563.tif 000018
【図１８】
0004614563.tif 000019
【図１９】
0004614563.tif 000020
【図２０】
0004614563.tif 000021
【図２１】
0004614563.tif 000022
【図２２】
0004614563.tif 000023